(57)【要約】【課題】  建物の屋上または屋根上等にあって、植物の育成用の土壌部材を最良な環境で収納することができる建物に設置される緑化用容器を提供する。【解決手段】  建物の屋上または屋根上等に設置される緑化用容器１であって、上方が開放された有底状の外枠容器体２と、この外枠容器体２に隣接された通路部３と、この外枠容器体２及び通路部３を建物の屋上又は屋根上等に所定の高さ維持する脚部４とを備え、前記外枠容器体２には植物の育成用の土壌部材Ｗを収納する内枠容器体５を嵌装して二重構造の容器体となしたものである。【選択図】  図１
2006333725.tif 000002
【特許請求の範囲】
【請求項１】
建物屋上または屋根上等に設置される緑化用容器であって、上方が開放された有底状の外枠容器体と、この外枠容器体に隣接された通路部と、この外枠容器体及び通路部を建物の屋上又は屋根上等に所定の高さ維持する脚部とを備え、前記外枠容器体には植物の育成用の土壌部材を収納する内枠容器体を嵌装して二重構造の容器体となしたことを特徴とする建物に設置される緑化用容器。
【請求項２】
請求項１記載の建物に設置される緑化用容器であって、前記内枠容器体を軽量金属または軽量合成樹脂材料から構成してなるを特徴とする建物に設置される緑化用容器。
【請求項３】
請求項１または２記載の建物に設置される緑化用容器であって、前記外枠容器体と前記内枠容器体との間には外気と連通する通気空所を形成したことを特徴とする建物に設置される緑化用容器。
【請求項４】
請求項１、２または３記載の建物に設置される緑化用容器であって、前記外枠容器体と前記内枠容器体との底部には排水孔を形成し、該排水孔の入口２派土壌部材の流出を防止する網状部材を設けたことを特徴とする建物に設置される緑化用容器。
【発明の詳細な説明】
【技術分野】
【０００１】
本発明は、建物の屋上または屋根上等に設置されて植物を育成することができる緑化用容器に関する。
【背景技術】
【０００２】
近時、環境緑化のために、ビルの屋上または家屋の屋根上等を緑化することが実施され、この種の建物の屋上または屋根上等に設置して植物を育成する緑化用パネルが多く採用されている。
そして、この緑化用パネルは、通気性及び通水性を有する不織布から枠体を形成し、その枠体内に植物育成用の土壌部材を収納して当該植物の育成を行なうように構成されていた。（特許文献１参照。）
【０００３】
【特許文献１】特開平７−２１３１５９号公報
【発明の開示】
【発明が解決しようとする課題】
【０００４】
しかしながら、植物の育成用の土壌部材が土である場合には、相当な重量となり、上記した枠体ではその収納状態を確保することが困難となり、例えば、枠体自体をたてもの屋上または屋根上等から浮かした状態（建物の屋上または屋根上等との間に空間を形成した状態）で設置することがきわめて困難であった。
そこで、本発明は、上記した問題点に鑑み、建物の屋上または屋根上等にあって、植物の育成用の土壌部材を最良な環境で収納することができる建物に設置される緑化用容器を提供することを課題とする。
【課題を解決するための手段】
【０００５】
上記した課題は、各請求項記載の発明によって解決される。
すなわち、請求項１記載された発明は、建物の屋上または屋根上等に設置される緑化用容器であって、上方が開放された有底状の外枠容器体と、この外枠容器体に隣接された通路部と、この外枠容器体及び通路部をビルの屋上又は家屋の屋根上等に所定の高さ維持する脚部とを備え、前記外枠容器体には植物の育成用の土壌部材を収納する内枠容器体を嵌装して二重構造の容器体となしたことを要旨とする。
【０００６】
この構成によれば、建物の屋上または屋根上等にあって、植物の育成用の土壌部材を収納する容器として二重構造の容器体とすることによって、その強度を高めるとともに、設置状態及び土壌部材の収納状態の良化向上を図ることができる。
【０００７】
請求項２記載の発明は、請求項１記載の建物に設置される緑化用容器であって、前記内枠容器体を軽量金属または軽量合成樹脂材料から構成してなるを要旨とする。
【０００８】
この構成によれば、容器体としてその強度を低下することなく、全体の重量の低減を図ることができる。
【０００９】
請求項３記載の発明は、請求項１または２記載の建物に設置される緑化用容器であって、前記外枠容器体と前記内枠容器体との間には外気と連通する通気空所を形成したことを要旨とする。
【００１０】
この構成によれば、内枠容器体に収納された土壌部材の温度に対する環境条件の良化向上を図ることができる。
【００１１】
請求項４に記載の発明は、請求項１、２または３記載の建物に設置される緑化用容器であって、前記外枠容器体と前記内枠容器体との底部には排水孔を形成し、該排水孔の入口に土壌部材の流出を防止する網状部材を設けたたことを要旨とする。
【００１２】
この構成によれば、内枠容器体に収納された土壌部材に対する水はけ等の環境条件の良化向上を図ることができる。
【発明の効果】
【００１３】
請求項１の発明にあっては、容器体自体の強度を高めるとともに、設置状態及び土壌部材の収納状態の良化向上を図ることができる。
【００１４】
請求項２の発明にあっては、容器体として強度を低下することなく、全体の重量の低減を図ることができる。
【００１５】
請求項３の発明にあっては、内枠容器体に収納された土壌部材の温度に対する環境条件の良化向上を図ることができる。
【００１６】
請求項４の発明にあっては、内枠容器体に収納された土壌部材に対する水はけ等の環境条件の良化向上を図ることができる。
【発明を実施するための最良の形態】
【００１７】
次に、本発明を実施するための最良の形態について、実施例にしたがって説明する。
【実施例】
【００１８】
以下、本発明の一実施の形態を図１〜図３にしたがって詳述する。
図において、１は、建物の屋上Ｌまたは屋根上等に設置される緑化用容器の全体を示し、大別すると、上方が開放された有底状の外枠容器体２と、この外枠容器体２に隣接された通路部３と、この外枠容器体２及び通路部３をビルの屋上Ｌ又は家屋の屋根上等に所定の高さ維持する脚部４〜４と、前記外枠容器体２内に嵌装されかつ植物の育成用の土壌部材Ｗを収納する内枠容器体５とから構成されている。
【００１９】
前記外枠容器体２は金属製からなり、所定の大きさでかつ比較的浅いほぼ矩形状に形成されていて、その一方の側面部には該側面部に沿って隣接されかつ人が作業のために通り得る所望の幅の平板状の通路部３がほぼ水平状に突出された状態で装設されており、この通路部３の先端の両隅部及び他方の側面部には４本の脚部４〜４が下方に向けて装設されている。
【００２０】
なお、外枠容器体２と通路部３と脚部４〜４とは同一の材料から成形されることがのぞましい。
【００２１】
そして、４本の脚部４〜４は、その設置面がビルの屋上等ほぼ水平の場合には、それぞれ同一の高さに、また、傾斜したビルの屋上Ｌや家屋の傾斜屋根の場合には、その傾斜に対応して一方側及び他方側を異なる高さに形成されて（図では異なる高さの場合を示す。）、設置面から所定の高さがを維持されるように構成されている。
【００２２】
また、外枠容器体２の底部の複数個所には、該底部から上方に膨出された膨出部６が形出され、この膨出部６に排水孔７が貫設されている。
【００２３】
前記植物の育成用の土壌部材Ｗを収納する内枠容器体５は、アルミニューム等の軽量合金や軽量金属（単に、軽量金属という。）、または合成樹脂や発泡スチロール等の軽量材料からなり、前記外枠容器体２の内側面に嵌装し得る大きさでかつ該外枠容器体２と同様に比較的浅いほぼ矩形状に形成されている。そして、この内枠容器体５の外側底部及び側周の適宜位置には所定長さの多数条のリブ片８〜８が一体的に突設されている。
【００２４】
しかして、内枠容器体５を前記外枠容器体２の内側面に嵌装状態で装着することによって、二重構造の容器として構成され、その嵌装状態において、各リブ片８〜８が外枠容器体２の内側面に当接され、該外枠容器体２と内枠容器体５との間に多数条の外気と連通する通気空所９〜９が形成されるものである。
【００２５】
そして、内枠容器体５の底部において、前記外枠容器体２の膨出部６に対応する部位には、該膨出部６と位置整合された膨出部１０が形出され、この膨出部１０には前記外枠容器体２の排水孔７と連通する排水孔１１が貫設され、この排水孔１１の入口には土壌部材Ｗの流出を防止する網状部材１２が装設されている。
【００２６】
また、前記外枠容器体２の他方の側面側（脚部側）には、他の同様に構成された緑化用容器１の通路部３の端部に形成された係合片１２ａが係脱する係合部１３が形成されている。
【００２７】
本実施の形態における緑化用容器１は上述のように構成されたものであり、複数の緑化用容器１は、ビルの屋上または家屋の屋根等の全域若しくは所定の位置に対し、脚部４〜４によってその外枠容器体２（及び内枠容器体５）と通路部３を設置面から浮かした（持上げた）所定の高さを維持して設置される。
【００２８】
そして、外枠容器体２と内枠容器体５とにより二重構造とした該内枠容器体５内に植物の育成用の土壌部材Ｗを収納して、該土壌部材Ｗに対する適宜位置に種子や苗木を植えて当該植物の育成を行ない、建物の屋上または屋根等の環境緑化を遂行するものである。（図３参照）
【００２９】
なお、緑化用容器１にあっては、当該設置部位の日よけとしてその機能を発揮するものであり、夏季における直射日光による温度上昇によりその最上階部位の居住空間に対する悪影響を可及的に軽減し得る。
【００３０】
上記状態において、外枠容器体２の内側面に内枠容器体５を嵌装状態で装着した二重構造の容器として構成されるもので、強度的にその強さを高めるとともに、その嵌装状態において、各リブ片８〜８によって、該外枠容器体２と内枠容器体５との間に多数条の外気と連通する通気空所９〜９が形成されるもので、設置面と外枠容器体２（内枠容器体５）及び通路部３との間には脚部４〜４により空間部が形成されることと相俟って、外枠容器体２と内枠容器体５との通気性を向上して、熱の滞留による悪影響を未然に防止するとともに、内枠容器体５に収納された土壌部材Ｗの温度に対する環境条件の良化向上を図り得る。この場合、内枠容器体５を通気性及び通水性を有する素材で成形すれば、上記効果をさらに助長することができる。
【００３１】
そして、少なくとも、内枠容器体５をアルミニューム等の軽量合金や軽量金属（単に、軽量金属という。）、または合成樹脂や発泡スチロール等の軽量材料から構成することにより、容器体として全体の強度を低下することなく、全体の重量を大幅に低減することができる。
【００３２】
外枠容器体２と内枠容器体５との底部には膨出部６、１０をそれぞれ位置整合して形成し、該膨出部６、１０にそれぞれ排水孔７、１１を形成したことにより、該内枠容器体５に収納された土壌部材Ｗに対する水はけ等を良好にしてその環境条件の良化向上を図ることができる。
【００３３】
また、本実施の形態においては、緑化用容器１を複数の設置する場合には、図３に示すように、当該外枠容器体２の係合部１３に対し、同様に構成された緑化用容器１の通路部３の端部に形成された係合片１２を係合することにより、その設置状態の安定化を図ることができる。
【００３４】
なお、上記した実施の形態において、外枠容器体２と内枠容器体５、通路部３の形状は図示のものに限定するものではなく、通路部３を外枠容器体２（内枠容器体５）を挟んで両側に形成してもよく、種々の形状に変更可能である。
【図面の簡単な説明】
【００３５】
【図１】実施の形態を示す内枠容器体を示す、一部省略の斜視図である。
【図２】外側容器体と内枠容器体との嵌装状態を示す断面図である。
【図３】緑化用容器の設置状態を示す断面図である。
【符号の説明】
【００３６】
１  緑化用容器
２  外枠容器体
３  通路部
４  脚部
５  内枠容器体
Ｗ  土壌部材
【図１】
2006333725.tif 000003
【図２】
2006333725.tif 000004
【図３】
2006333725.tif 000005